(57)【特許請求の範囲】
【請求項１】
画像が表示される有効表示部を有する表示パネルと、前記有効表示部に駆動信号を供給するフレキシブル基板を備えた駆動信号源と、
前記表示パネルの接続パッドと前記駆動信号源のフレキシブル基板上に設けた接続端子とが熱圧着手段によって接続された接続部と、
前記接続部と前記有効表示部とを接続する複数の接続配線と、を備えた表示装置であって、
前記接続部は、
前記接続配線を介して直接的に前記有効表示部の信号線に接続されると共に前記表示パネル上に設けられた接続パッドからなり夫々離間して配置された複数の接続パッド群と、前記接続パッド群の間に配置されたダミーパッドからなるダミーパッド群と、を有する第１接続部と、
前記第１接続部と熱圧着にて接続され前記接続パッドに対応した接続端子からなり前記フレキシブル基板の両側部に配置される複数の接続端子群と、前記ダミーパッドに対応したダミー端子からなり前記接続端子群の間に配置されるダミー端子群と、を有する第２接続部と、を具備し、
前記ダミーパッド群と前記ダミー端子群とにより前記接続部での熱圧着時の熱分布を均一化するようにした表示装置。
【請求項２】
前記有効表示部は、表示画素に信号を供給する複数の信号供給配線と、前記接続配線のそれぞれに対して複数の信号供給配線を切替えて接続するスイッチ回路と、をさらに有し、
前記スイッチ回路は、多結晶シリコンを用いたスイッチング素子を有する請求項１記載の表示装置。
【請求項３】
前記ダミーパッドが配置されるピッチは、前記接続パッドが配置されるピッチ以上である請求項１記載の表示装置。
【発明の詳細な説明】
【技術分野】
【０００１】
本発明は表示装置に関し、特に、アクティブマトリクス型の表示装置に関する。
【背景技術】
【０００２】
一般に、表示装置は複数の表示画素が配置された有効表示部を有する表示パネルを備えている。表示パネルは、各表示画素を選択する複数の走査線と、選択された表示画素に画像信号を供給する複数の信号線を有している。この信号線及び走査線に駆動信号を供給する駆動ＩＣは、信号線及び走査線の本数と同数の駆動信号出力線を有している。
【０００３】
近年、表示装置として液晶表示装置等が広く使用されているが、筐体内部の限られた空間に表示パネルを収容し、しかも表示される情報量を多くしたいという要求から、表示領域を極力広く、額縁領域を狭くする構成が望まれている。
【０００４】
表示装置の額縁領域を狭くする方法として、従来、駆動ＩＣ、フレキシブル基板、及びそれらの引き出し配線の配置関係を改良する方法が提案されている（特許文献１参照）。
【特許文献１】特開平１１−３０５２５４号公報
【発明の開示】
【発明が解決しようとする課題】
【０００５】
しかし、上記の液晶表示装置のように駆動ＩＣ等の配置を改良しても、信号線及び走査線の本数が増えると、フレキシブル基板と信号線等とを接続する配線が長くなり、その結果、額縁領域が広くなる場合があった。
【０００６】
また、フレキシブル基板とアレイ基板とを接続する接続部の、接続端子が並ぶ方向の長さには制限があるため、従来と同数の接続端子を従来よりも小さいピッチで配置すると、接続部に接続端子がない領域が発生する。このとき、フレキシブル基板をアレイ基板に熱圧着する際に、この接続端子がない領域でフレキシブル基板の接続不良が発生する場合があった。
【０００７】
本発明は、上記の問題点に鑑みて成されたものであって、狭額縁化を可能とするとともに、フレキシブル基板の接続不良を防止する表示装置を提供することを目的とする。
【課題を解決するための手段】
【０００８】
本発明の態様による表示装置は、画像が表示される有効表示部を有する表示パネルと、前記有効表示部に駆動信号を供給するフレキシブル基板を備えた駆動信号源と、前記表示パネルの接続パッドと前記駆動信号源のフレキシブル基板上に設けた接続端子とが熱圧着手段によって接続された接続部と、前記接続部と前記有効表示部とを接続する複数の接続配線と、を備えた表示装置であって、前記接続部は、前記接続配線を介して直接的に前記有効表示部の信号線に接続されると共に前記表示パネル上に設けられた接続パッドからなり夫々離間して配置された複数の接続パッド群と、前記接続パッド群の間に配置されたダミーパッドからなるダミーパッド群と、を有する第１接続部と、前記第１接続部と熱圧着にて接続され前記接続パッドに対応した接続端子からなり前記フレキシブル基板の両側部に配置される複数の接続端子群と、前記ダミーパッドに対応したダミー端子からなり前記接続端子群の間に配置されるダミー端子群と、を有する第２接続部と、を具備し、前記ダミーパッド群と前記ダミー端子群とにより前記接続部での熱圧着時の熱分布を均一化するようにした表示装置である。
【発明の効果】
【０００９】
本発明によれば、狭額縁化を可能とするとともに、フレキシブル基板の接続不良を防止する表示装置を提供することができる。
【発明を実施するための最良の形態】
【００１０】
図１に示すように、表示装置としての液晶表示装置は、画像が表示される有効表示部１０Ａを有する液晶表示パネル１０を有している。
【００１１】
液晶表示パネル１０は、互いに対向する一対の基板、すなわちアレイ基板１２及び対向基板１４と、アレイ基板１２及び対向基板１４に挟持された液晶層（図示せず）とを有している。有効表示部１０Ａはマトリクス状に配置された複数の表示画素ＰＸによって構成されている。
【００１２】
アレイ基板１２には、表示画素ＰＸが配列する行に沿って複数の走査線ＳＬ（ＳＬ１〜ＳＬｍ）が配置され、表示画素ＰＸが配列する列に沿って複数の信号線ＤＬ（ＤＬ１〜ＤＬｎ）が配置されている。図１に示す場合では、アレイ基板１２には４３２本の信号線が配置されている。
【００１３】
アレイ基板１２は、対向基板１４の端縁１４Ｅと対向する位置から延在した延在部１２Ａを有している。延在部１２Ａには、有効表示部１０Ａに駆動信号を供給する駆動信号源が接続された接続部ＴＡが配置されている。すなわち、駆動信号源としてフレキシブル基板１６が接続部ＴＡに接続されている。フレキシブル基板には駆動回路ＤＣが実装されている。
【００１４】
図２に示すように、接続部ＴＡではアレイ基板１２の第１接続部ＴＡ１とフレキシブル基板１６の第２接続部ＴＡ２とが接続されている。アレイ基板１２の第１接続部ＴＡ１は、有効表示部１０Ａと接続配線ＣＷによって接続された複数の接続パッドＣＰを有している。図２に示す場合では、第１接続部ＴＡ１は、４３２本の信号線に向かって延びる接続配線のそれぞれに接続された４３２個の接続パッドＣＰを有している。
【００１５】
アレイ基板１２は、接続配線ＣＷが配置された配線領域ＷＡを有している。配線領域ＷＡは、接続配線ＣＷがアレイ基板１２の端縁１２Ｅに対して略直交する方向（Ｙ方向）に延びる第１配線領域ＷＡ１と、接続配線ＣＷが第１配線領域ＷＡ１から各信号線ＤＬに向かって延びる第２配線領域ＷＡ２とを有している。図２に示す場合では、この第２配線領域ＷＡ２は、第１接続部ＴＡ１の端部から有効表示部１０ＡのＸ方向における両端部に広がって配置されている。
【００１６】
フレキシブル基板１６の第２接続部ＴＡ２には、第１接続部ＴＡ１の接続パッドに対応した接続端子ＣＴが配置されている。すなわち、図２に示す場合では、第１接続部ＴＡ１の４３２個の接続パッドに対応した４３２個の接続端子ＣＴが、接続パッドＣＰの配置されたピッチと同じピッチで第２接続部ＴＡ２に配置されている。
【００１７】
上記のように接続部ＴＡ及び接続配線ＣＷを配置すると、第１配線領域ＷＡ１及び第２配線領域ＷＡ２のＹ方向の長さＬ２が大きくなり、その結果、アレイ基板１２の端縁１２Ｅから有効表示部１０ＡまでのＹ方向における距離Ｌ３が大きくなる。
【００１８】
そこで、図１及び図２に示す液晶表示パネル１０において接続パッドＣＰの配置ピッチを小さくする。例えば、図１及び図２に示す液晶表示パネル１０では、図３Ａに示すように接続パッドＣＰがピッチＰ１で配置されている。この配置ピッチＰ１を小さくして、図３Ｂに示すように接続パッドＣＰをピッチＰ２（Ｐ１＞Ｐ２）で配置する。このとき接続パッドＣＰは２つの接続パッド群、すなわち第１接続パッド群ＰＡ１及び第２接続パッド群ＰＡ２によって構成され、この第１及び第２接続パッド群ＰＡ１、ＰＡ２を第１接続部ＴＡ１の両端部に配置した。
【００１９】
これに対応して、図４に示すように、接続パッドＣＰに対応するフレキシブル基板１６の接続端子ＣＴの配置ピッチも小さくなり、２つの接続端子群、すなわち第１接続端子群ＣＴＡ１及び第２接続端子群ＣＴＡ２となってフレキシブル基板１６の第２接続部ＴＡ２の両端部に配置される。
【００２０】
すなわち、図４に示すように、アレイ基板１２とフレキシブル基板１６とは、アレイ基板１２の第１接続パッド群ＰＡ１とフレキシブル基板１６の第１接続端子群ＣＴＡ１とが対向し、第２接続パッド群ＰＡ２と第２接続端子群ＣＴＡ２とが対向するように配置される。
【００２１】
上述のように、接続パッドＣＰ及び接続端子ＣＴの配置ピッチを小さくし、接続パッド群及び接続端子群を接続部ＴＡのＸ方向における端部に配置すると、接続配線ＣＷが、各接続パッド群から左右に延びるようになる。
【００２２】
すなわち、図４に示すように、第１接続パッド群ＰＡ１から延びる第２配線領域ＷＡ２は、第１配線領域ＷＡ１から有効表示部１０Ａに向けて左側に延びる接続配線ＣＷと、第１接続パッド群ＰＡ１から有効表示部１０Ａに向けて右側に延びる接続配線ＣＷとを含むことになる。
【００２３】
同様に第２接続パッド群ＰＡ２から延びる第２配線領域ＷＡ２も、第１接続領域ＷＡ１から有効表示部１０Ａの左側及び右側に延びる接続配線ＣＷを含むことになる。
【００２４】
従って、接続配線ＣＷがアレイ基板１２のＸ方向における端部側に延びる領域だけでなく、アレイ基板１２の中央側に延びる領域ができるため、有効表示部１０ＡのＸ方向における端部側に延びる接続配線ＣＷの数が減る。このことから、第１配線領域ＷＡ１及び第２配線領域ＷＡ２のＹ方向の長さＬ２を小さくすることができ、その結果、アレイ基板１２の端縁１２Ｅから有効表示部１０ＡまでのＹ方向における距離Ｌ３を小さくすることができる。
【００２５】
ここで、フレキシブル基板１６の第２接続部ＴＡ２はＸ方向の長さが制限されるため、上記のように接続パッドＣＰの配置ピッチを小さくすると、図３Ｂに示すように、第１接続部ＴＡ１に接続パッドＣＰが配置されない領域Ａ１が形成される。従って、フレキシブル基板１６の第２接続部ＴＡ２にも、接続パッドＣＰが配置されない領域Ａ１に対応して、接続端子ＣＴが配置されない領域が形成される。
【００２６】
この場合に、フレキシブル基板１６をアレイ基板に熱圧着すると、接続部ＴＡにおける熱の分布が一様でなくなり、接続不良が発生する可能性がある。そこで、図３Ｃに示すように、接続パッドＣＰが配置されない領域Ａ１に接続配線ＣＷに接続されない複数のダミーパッドＤＰを配置した。
【００２７】
すなわち、図５に示すように、第１接続部ＴＡ１には、接続パッドＣＰからなる第１及び第２接続パッド群ＰＡ１、ＰＡ２と、第１接続パッド群ＰＡ１と第２接続パッド群ＰＡ２との間に配置された複数のダミーパッドＤＰからなる第３パッド群ＰＡ３と、が配置される。
【００２８】
このとき、図３Ｃに示すように、ダミーパッドＤＰが配置されるピッチＰ３は、図３Ａに示す接続パッドＣＰが配置されるピッチＰ１と同じになっている。つまり、この実施の形態においては、各パッドのピッチは、Ｐ１＞Ｐ２、Ｐ１＝Ｐ３の関係に設定されていることになる。これに対応して、フレキシブル基板１６の第２接続部ＴＡ２には、第１接続端子群ＣＴＡ１と第２接続端子群ＣＴＡ２との間の接続端子ＣＴが配置されない領域Ａ２に、図５に示すように、ダミーパッドＤＰに対向するダミー端子ＤＴが配置される。
【００２９】
すなわち、図６に示すように、第２接続部ＴＡ２には、接続端子ＣＴからなる第１及び第２端子群ＣＴＡ１、ＣＴＡ２と、第１端子群ＣＴＡ１と第２端子群ＣＴＡ２との間に配置されたダミー端子ＤＴからなる第３端子群ＣＴＡ３とが配置される。
【００３０】
上記のように第１及び第２接続部ＴＡ１、ＴＡ２を構成する第１及び第２接続パッド群ＰＡ１、ＰＡ２との間にダミーパッドＤＰからなる第３接続パッド群ＰＡ３を、また第１及び第２接続端子群ＣＡＴ１、ＣＡＴ２との間にダミー端子ＤＴからなる第３接続端子群ＣＡＴ３を配置することで、接続パッドＣＰの配置ピッチを小さくした場合であっても、熱圧着時の熱分布を均一にすることが可能となり、接続不良を防止することができる。
【００３１】
ここで、本発明の一実施例とその比較例とについて説明する。本実施例及びその比較例に係る液晶表示パネルは、ともにＸ方向の長さが３３１ｍｍの有効表示部１０Ａと、４３２個の接続パッドＣＰ及び接続端子ＣＴとを有し、フレキシブル基板１６の第２接続部ＴＡ２のＸ方向における長さＬ１は３９ｍｍである。
【００３２】
第１実施例の液晶表示装置は、図６に示すような液晶表示パネル１０を有している。すなわち、接続配線ＣＷは多結晶シリコンを用いたスイッチング素子を有するスイッチ回路ＳＷＣを介して信号線ＤＬに接続されている。本実施例では、４３２本の接続配線ＣＷがスイッチ回路ＳＷＣを介して１２９６本の信号線ＤＬ（ＤＬ１〜ＤＬ１２９６）に接続されている。
【００３３】
液晶表示パネル１０は、上記の点以外は前述した図１に示す液晶表示パネルと同様であるため同じ符号を付して説明を省略する。アレイ基板１２は、図４に示したように第１乃至第３接続パッド群ＰＡ１、ＰＡ２、ＰＡ３を有している。第１及び第２接続パッド群ＰＡ１、ＰＡ２の接続パッドＣＰの数はそれぞれ２１６個で、そのピッチが６５μｍとなるように配置されている。第３接続パッド群ＰＡ３には、１１８個のダミーパッドＤＰが６５μｍのピッチで配置されている。この場合、接続パッドＣＰとダミーパッドＤＰとのピッチは、ともに６５μｍと等しく設定されている。
【００３４】
フレキシブル基板１６の第２接続部ＴＡ２は、第１接続部ＴＡ１に対応して、第１乃至第３接続端子群ＣＴＡ１、ＣＴＡ２、ＣＴＡ３を有している。第１及び第２接続端子群ＣＴＡ１、ＣＴＡ２には、接続パッドが配置されたピッチと同じピッチで接続端子が配置されている。第３接続端子群ＣＴＡ３には、ダミーパッドＤＰが配置されたピッチと同じピッチでダミー端子ＤＴが配置されている。
【００３５】
このとき、第１配線領域ＷＡ１及び第２配線領域ＷＡ２のＹ方向の長さＬ２は５.３ｍｍとなり、アレイ基板１２の端縁１２Ｅから有効表示部１０ＡまでのＹ方向の長さＬ３は約５.８ｍｍとなった。
【００３６】
比較例に係る液晶表示装置では、図６に示す場合と同様に、アレイ基板１２の接続配線ＣＷはスイッチ回路ＳＷＣを介して信号線ＤＬに接続されている。すなわち、図７に示すように、４３２本の接続配線ＣＷがスイッチ回路ＳＷＣを介して１２９６本の信号線に接続されている。
【００３７】
第１接続部ＴＡ１には、４３２個の接続パッドＣＰが８０μｍのピッチで配置されている。フレキシブル基板１６の第２接続部ＴＡ２には、第１接続部ＴＡ１に接続パッドＣＰが配置されたピッチと同じピッチで接続端子ＣＴが配置されている。この比較例では、上記の点以外は図１に示す液晶表示パネル１０と同様の構成であるため同じ符号を付して説明を省略する。
【００３８】
このとき、第１配線領域ＷＡ１及び第２配線領域ＷＡ２のＹ方向の長さＬ２は５.９ｍｍとなり、アレイ基板１２の端縁１２Ｅから有効表示部１０ＡまでのＹ方向の長さＬ３は約６.４ｍｍとなった。
【００３９】
すなわち、本発明の実施例では、その比較例よりも第１配線領域ＷＡ１及び第２配線領域ＷＡ２のＹ方向の長さＬ２を１０％短くすることができ、その結果、アレイ基板１２の端縁１２Ｅから有効表示部１０ＡまでのＹ方向の長さＬ３を９.４％短くすることができた。このことから、本実施形態によれば、液晶表示パネル１０を狭額縁化するとともに、フレキシブル基板１６の接続不良を防止する液晶表示装置を提供することができる。
【００４０】
この発明は、上記実施形態そのままに限定されるものではなく、実施段階ではその要旨を逸脱しない範囲で構成要素を変形して具体化できる。
【００４１】
また、上記の実施形態では信号線に接続された接続配線の配置について適用したが、走査線に接続された配線に適用しても良い。その場合にも上記の場合と同様の効果を得ることができる。
【００４２】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４３】
【図１】本発明の一実施の形態に係る液晶表示装置の液晶表示パネルの一例を概略的に示す平面図。
【図２】液晶表示パネルのアレイ基板とフレキシブル基板との接続部の一構成例を説明する図。
【図３Ａ】図２に示すアレイ基板の接続部の接続パッドの一配置例を説明する図。
【図３Ｂ】図２に示す接続部において接続パッドの配置ピッチを小さくしたときの接続パッドの一配置例を説明する図。
【図３Ｃ】図２に示すアレイ基板の接続部の一構成例を詳細に説明する図。
【図４】図１に示す液晶表示パネルのアレイ基板とフレキシブル基板との接続部の構成例を説明する図。
【図５】図４に示す液晶表示パネルを図１に示す線Ａ−Ａで切断した一断面例を示す図。
【図６】本発明の一実施形態に係る液晶表示装置の一実施例について説明する図。
【図７】図４に示す実施例の比較例に係る液晶表示装置について説明する図。
【符号の説明】
【００４４】
ＴＡ…接続部、ＴＡ１…第１接続部、ＴＡ２…第２接続部、ＣＷ…接続配線、ＣＰ…接続パッド、ＣＴ…接続端子、ＤＰ…ダミーパッド、ＤＴ…ダミー端子、ＰＡ１…第１接続パッド群、ＰＡ２…第２接続パッド群、ＰＡ３…接続パッド群、ＣＴＡ１…第１接続端子群、ＣＴＡ２…第２接続端子群、ＣＴＡ３…第３接続端子群、１０Ａ…有効表示部、１０…液晶表示パネル、１６…フレキシブル基板
【図１】
0005292665.tif 000002
【図２】
0005292665.tif 000003
【図３Ａ】
0005292665.tif 000004
【図３Ｂ】
0005292665.tif 000005
【図３Ｃ】
0005292665.tif 000006
【図４】
0005292665.tif 000007
【図５】
0005292665.tif 000008
【図６】
0005292665.tif 000009
【図７】
0005292665.tif 000010